(57)【特許請求の範囲】
【請求項１】
車路とこの車路に沿って設けられた駐車スペースに運転者が車両を乗り入れて駐車をする自走式駐車場において、各駐車スペースに在車、空車を検知する在車センサを設け、空き駐車スペースの存在する駐車スペースブロック及びそれを構成する二つの駐車スペース列を、一組の表示部で運転者に認識させ、誘導する誘導表示装置であって、
前記表示部は、駐車スペースブロックの走路入り口側の駐車車両より高い支柱の頭部に設けられ、支柱の両側に、駐車スペース列を構成する駐車スペースが全て在車の場合は満を表示し、それ以外は空の表示を行う二つの駐車スペース列表示部、その中央上部に当該駐車スペースブロックを構成する二つの駐車スペース列表示部が共に満の表示の場合は満を表示し、それ以外は空の表示を行う駐車スペースブロック表示部で構成されることを特徴とする誘導表示装置。
【発明の詳細な説明】
【技術分野】
【０００１】
本発明は、自走式駐車場の空き駐車スペースへの到達を容易にする誘導表示装置に関するものである。
【背景技術】
【０００２】
自走式駐車場は、図１に示すように車両１が走行する車路２の両側に複数の駐車スペース３が配置されており、運転者が車路２を走行しながら空き駐車スペースを探して駐車するようになっている。
【０００３】
大規模な駐車場においては、幹線車路から枝分かれした車路の両側に駐車スペースを配置した、二つの駐車スペース列で構成される島状の駐車スペースブロックを多数配置する構造となっている。また車路は交通事故の危険性を低減させるため一方通行となっていることが一般的である。
【０００４】
このような大規模な自走式駐車場では、運転者が円滑に駐車するためには、運転者に何処に空き駐車スペースがあるのか認知させる必要がある。
【０００５】
この方法の一つとして、ある区域について区域内に空車スペースがあるか、その区域が満車であるかを表示したものがある。ところがある区域内に空きスペースがあると表示された場合でも、どの駐車スペース列に空きスペースがあるか判らず、運転者は幹線車路を低速での一旦停止を繰り返しながら空きスペースを探さざるを得ず、必ずしも円滑に駐車を行うことが出来なかった。
【０００６】
そこで、特許文献１の駐車場誘導装置では、車両に車載無線機を搭載する一方、駐車場の車路に沿って複数の駐車場無線機を設置すると共に、各駐車スペースに表示灯を設置しておき、車両からの無線で空車状態の駐車スペースを決定し、表示灯を点灯させることで車両を誘導するようにしている。ところが、無線で空車状態の駐車スペースに誘導する場合には、駐車場に複数の無線機を設置する必要があると共に、各車両に無線機を搭載する必要があり、不特定多数の車両が利用する駐車場に適用することが出来ない。
【０００７】
また、特許文献２の駐車表示装置では、各駐車スペースに投光器を設置すると共に、この投光器の光で発光する発光体を車路側に埋設しておき、在車状態では、駐車している車両で投光器からの光がさえぎられるようにし、車路の入口で発光状態の発光体があるかどうかによって空車状態の駐車スペースの具体的な位置まで知ることが出来るようにしている。ところが、車路に埋設した発光体で空車状態の駐車スペースを表示する場合には、駐車場の入口など空車状態の駐車スペースから離れた場所から表示を見ることが出来ず、少なくとも車路の入口付近まで行く必要があり、満車状態の場合には、駐車場の車路を走行して発行している発光体を探し回らなければならないという問題がある。また、発光体を車路に埋設して走行の邪魔にならないようにする必要があり、設置コストがかかるという問題もある。
【０００８】
また、特許文献３の表示装置では、各駐車スペースに在車、空車を検出する在車検出センサを設け、この在車検出センサの検出結果を表示する在車、空車表示灯を四箇所の駐車スペース中央に一基設置した支柱に上に駐車スペースの車両より高い位置に設け、駐車スペースに対応する表示灯を空車，在車の状況に合わせ点灯表示するようにしている。ところが、駐車スペースに対応した表示灯を点灯させるためには四箇所の駐車スペースに一基の表示装置が必要であり、大規模駐車場では多数の表示装置が林立することとなるほか表示灯も駐車スペースと同数が点灯することとなって、運転者が空き駐車スペースの位置とそこに至る経路をイメージするには煩雑なシステムとなっている。また設置コストも大きいという問題もある。
【０００９】
また、特許文献４の表示装置では、駐車スペース毎に設置した車両センサの空、満情報を、駐車スペース毎あるいは隣接する複数の駐車スペースをまとめた表示器を車両走行通路に一列に配置し、走行通路入口から一瞥によって視認させ、どの駐車スペースが利用可能か認識させるようにしている。また、走行通路交差点部に、この走行通路に沿った駐車スペースに空きスペースがあれば空きの、満車であれば満の表示をする表示器を取り付け、どの走行通路に入れば駐車可能かを表示する表示器を、駐車場入口から駐車スペースに至る各交差点に設けて、交差点でどちらに行けば空駐車スペースに到着できるかを可能にしている。
しかしながら上記発明では、駐車スペース毎あるいは隣接する複数の駐車スペースをまとめた空満表示器を走行通路に設置する必要があるが、走行通路に沿った駐車スペースに空きスペースがあるとの情報が運転者に与えられておれば、運転者は一方交通の当該走路を走りながら、何らストレスを感じず空きスペースを発見し、円滑に駐車することが可能である。よって上記発明の、駐車スペース毎あるいは隣接する複数の駐車スペースをまとめた空満表示器の必要性は低く、経済的にも設置コストが大きいという問題がある。
また、走行通路交差点に設ける表示器についても、屋内駐車場の天井に設置する場合は別として、屋外駐車場では設置することが困難という問題がある。
【００１０】
また特許文献５の駐車場管制装置では、駐車センサによって空き駐車スペースを検出し、車両センサによって車両位置を検出し、方向案内装置によって車両位置から空き駐車スペースまでの進行方向、距離を表示させるとしているが、車両検出装置が必要で設置コストが大きいことや、走行通路に多数の車両が存在した場合の表示をどうする課などの問題がある。
【特許文献１】特開２００３−６７９５号公報
【特許文献２】特開２０００−２６５６９９号公報
【特許文献３】特開２００５−２６４４３４号公報
【特許文献４】特開平９−３５１９４号公報
【特許文献５】特開平５−２９８５９８号公報
【発明の開示】
【発明が解決しようとする課題】
【００１１】
そこでこの発明は、大規模自走式駐車場において、運転手を円滑に空き駐車スペースのある駐車スペース列まで誘導する表示装置を経済的に提供することを課題とする。
【課題を解決するための手段】
【００１２】
上記課題を解決するため、この発明では、駐車スペースに設置した在車，空車を検出する在車検出センサを設け、２つの駐車スペース列からなる駐車スペースブロックを一つの表示単位として、駐車スペースブロックの空、満と駐車スペース列の空、満を一組の表示装置で表示することとした。
【００１３】
誘導表示装置は、幹線走路から枝分かれして駐車スペース列間の走路に入る駐車スペースブロック端部に、駐車車両より高い支柱の頭部に設置し駐車場入口からも容易に視認できるようにした。
【００１４】
誘導表示装置の表示は、中央に駐車スペースブロックの空、満を表示し、両側にそれぞれの駐車スペース列の空、満を表示するようにして、一目で駐車スペースブロックの空、満と、空車スペースがある場合にはどちらの駐車スペース列に空車スペースがあるか判別できるようにした。
【００１５】
また大規模な駐車場では、駐車場入口に駐車スペースブロックの空、満を駐車場概略図である駐車スペースブロック案内図に表示し空車スペースのある駐車スペースブロックへの行程の概念を運転者に与えるようにしてもよい。
【００１６】
以上の誘導表示装置により、運転者は駐車場入口で駐車場の何処の駐車スペースブロックに空車スペースがあるのか認識でき、空き駐車スペースブロックが面する幹線走路に入ってからはどの走路に入れば空き駐車スペース列を利用できるか容易に認識できる。これにより運転者は駐車スペース列間の走路を徐行し自ら空き駐車スペースを見つけて円滑に駐車することが出来る。
【００１７】
駐車スペースブロックの比較的少ない駐車場では誘導表示装置を支柱上に取り付けず路面に行灯のように置いても良い.
【００１８】
屋内駐車場の場合には、走路を隔てて向かい合う二つの駐車スペース列を表示単位とする誘導表示装置を走路上の天井に取り付ける。
【００１９】
この場合には、交差する走路のどちらからでも視認できるように、取り付け角度、表示内容に配慮する。
【００２０】
在車センサと表示装置、駐車スペースブロック案内図間の通信は内蔵した無線装置で行うほか、有線で行ってよい。
【発明の効果】
【００２１】
駐車スペースブロックとそれを構成する駐車スペース列の空、満を遠方の駐車場入口から認識できるようにしたので、運転者は容易に空きのある駐車スペース列に到達でき円滑な駐車が可能となる装置を経済的に提供できるようになった。
【発明を実施するための最良の形態】
【００２２】
以下、図面を参照しつつこの発明の実施の形態を説明する。
【００２３】
図１に自走式駐車場の例を示す。
駐車スペース、駐車スペース列、駐車スペースブロックの構成を示している。
幹線走路４を走行する運転者は走路５に入り、空き駐車スペースを探し、駐車することになる。
【００２４】
図２に駐車スペースブロックとそれを構成する駐車スペース列、誘導表示装置を示す。
例えば、９−１から９−５までの駐車スペースがすべて在車の場合は駐車スペース列表示部９の表示が満車の表示となり、空車が一つでもあれば空車の表示となる。９、１０の表示部が共に満車の表示なら８の駐車スペースブロック表示部は満車の表示となり、いずれかが空車の表示の場合には空車の表示となる。
それぞれの駐車スペースに設置されている在車センサからの空、満情報は無線あるいは有線で誘導表示装置を制御する制御装置に送られ、８、９、１０の表示を点灯させる。
８は９、１０より高い位置にあり運転者に優先的な視認性を持たせている。
【００２５】
図３に駐車スペースブロック群と走路、誘導表示装置を示す。
多数の誘導表示装置は遠方からも識別可能で、運転者はいずれの駐車スペースブロックに空きがあるのか８を認識して幹線走路４に入り、駐車スペース列の空き表示９、１０によって利用する走路５を選択することになる。
走路５にはいった後は、運転者自身で空き駐車スペースを見つけることになるが、空き駐車スペースがどちらの駐車スペース列にあるか分かっており、その発見は容易である。
【００２６】
図４に誘導表示装置の一例を示す。
８、９、１０が一体化されており、空車がある場合にはブロックの表示と列の表示が一体として進入する走路を示し、直感的な視認性に優れたものである。
【００２７】
図５に駐車スペースブロック案内図を示す。
AからIは駐車スペースブロックで、幹線走路と共に表示されている。駐車スペースブロックが満車の場合にはそれに対応するAからIの表示が空、満の表示となり、運転者は空車のある駐車スペースブロックの位置とそこに至る幹線走路の概念をえることができる。
【００２８】
図６に屋内駐車場での誘導表示装置を示す。
１３，１４は、壁際の駐車スペース列。１５は、走路を隔てて向かい合う駐車スペース列によって構成される駐車スペースブロック。１３−１，１４−１，１４−２，１５−１，１５−２はいずれも誘導表示装置で、１４−１．１５−１は直交する走路のいずれからも視認出来るように直交する二面の表示面から構成されている。
１３の駐車スペース列に空きスペースがあり、他はすべて満車の場合、誘導表示装置は１３−１のみが空表示で、他はすべて満表示となり、運転者は入口で容易に１３−１を視認し、円滑に駐車スペースを発見することが出来る。
また１５の駐車スペースブロックに空きスペースがあり、他はすべて満車の場合、１５−１と１５−２が空表示で、他はすべて満表示となる。運転者は入口から１５−２を視認して左折し、１５−１の表示を視認して直進し、１５の駐車ブロックの両側の駐車列から容易に空き駐車スペースを発見できることになる。この場合１３−１の誘導表示装置の位置にいる運転者も１５−１の表示装置を視認できるので、１５−１を左折すれば空き駐車スペースがあると認識できる。
１３−１の誘導表示装置には１３−２のような１４−１，１５−１に連動して右折の表示をする誘導表示装置も考えられるが、１３−２と１５−１による誘導が同じ重みを持つことにナリ、１５−１の交差点での事故の危険が増加することから、図６では１５−２の表示を優先する案としている。
【図面の簡単な説明】
【００２９】
【図１】自走式駐車場における駐車スペース列と駐車スペースブロック、幹線走路と枝分かれする走路を示した図である
【図２】誘導表示装置と駐車スペース列を示した図である。
【図３】駐車スペースブロックと誘導表示装置を示した図である。
【図４】一体化した誘導表示装置の例を示した図である。
【図５】駐車スペースブロック案内図を示す。
【図６】屋内駐車場での誘導表示装置を示した図である。
【符号の説明】
【００３０】
１は、駐車スペース
２は、駐車スペース列
３は、駐車スペースブロック
４は、幹線走路
５は、駐車スペース列を利用するための走路
６は、在車センサ
７は、入口側駐車スペースブロック端部
８は、駐車スペースブロック８の空、満を表示する駐車ブロック表示部
９、１０は、駐車スペース列の空、満を表示する駐車スペース列表示部
９−１から９−５は駐車スペース列９を構成する駐車スペース、１０−１から１０−５は駐車スペース列１０を構成する駐車スペース、駐車スペースブロック８は駐車スペース列９と１０で構成される。
１１は、支柱
１２は、誘導表示装置
AからIは、駐車スペースブロックを示し、幹線走路、駐車場入口、出口と共に表示されている。ある駐車スペースブロックに空車がある場合にはそれに対応する箇所が空の表示となる。
１３，１４は駐車スペース列
１５は走路を隔てて向かい合う駐車スペース列で構成される駐車スペースブロック
１３−１は、駐車スペース列１３の空、満を表示する誘導表示装置
１４−１は、駐車スペース列１４の空、満を表示する誘導表示装置
１５−１は、駐車スペースブロック１５の空、満を表示する誘導表示装置
１４−２は、１４−１と連動して空、満の表示をする誘導表示装置
１５−２は、１５−１と連動して空、満の表示をする誘導表示装置
【要約】
【課題】自走式駐車場において、運転者が容易に空き駐車スペースのある駐車スペース列に到達することを可能とすることを目的とする。
【解決手段】本発明によれば、駐車スペースに車両センサを設置し、複数の駐車スペースからなる駐車スペース列と、二つの駐車スペース列からなる駐車スペースブロックそれぞれの空、満表示を遠方から識別できるような表示装置を駐車ブロック端部に設置すると共に、駐車スペースブロック案内図を駐車場入口に設置することができる。
【選択図】なし【図１】
0004178422.tif 000002
【図２】
0004178422.tif 000003
【図３】
0004178422.tif 000004
【図４】
0004178422.tif 000005
【図５】
0004178422.tif 000006
【図６】
0004178422.tif 000007